(57)【要約】【課題】遊技盤の裏面にカバー部材を設けて前後に基板を配置する構成となっていても容易に組立できる遊技機を提供する。【解決手段】遊技盤１裏面に取り付けられて演出制御基板２１の一部となる中継基板５２と、中継基板５２の裏面側を覆い、かつ、裏面に遊技制御基板３１を取り付けられたカバー部材６０とを備える。中継基板５２に設けられるコネクタ部５５と、遊技制御基板３１に設けられる遊技制御基板コネクタ部３２とは、互いに近接すると共に前後方向に離間して配置される。カバー部材６０には、裏面側に大きさや形状の異なる複数種の遊技制御基板３１の何れでも取付可能な取付部６８を設ける。カバー部材６０には、遊技制御基板コネクタ部３２と、コネクタ部５５とを接続するための配線接続用開口部６５を複数形成する。【選択図】        図５
2004242911.tif 000002
【特許請求の範囲】
【請求項１】
遊技動作を制御する遊技制御基板と、少なくとも電飾部品を制御する機能と効果音の発生を制御する機能とを有し且つ前記遊技制御基板とは別体に設けられた演出制御基板と、遊技盤裏面に設けられ、前記演出制御基板を裏面側に取り付けるための裏面取付部材と、前記演出制御基板の背面側を覆う状態に取り付けられ、背面に遊技制御基板を取付可能なカバー部材と、を備える遊技機において、
前記演出制御基板に設けられる演出制御基板コネクタ部と、前記遊技制御基板に設けられる遊技制御基板コネクタ部とは、所定間隔離間すると共に前後方向に互いに近接した状態で配置され、
前記カバー部材は、
大きさや形状の異なる複数種の遊技制御基板の何れでも取付可能な取付部を裏面側に設け、前記取付部に取り付けられた遊技制御基板の遊技制御基板コネクタ部と、演出制御基板の演出制御基板コネクタ部と、を接続するための配線接続用開口部を複数種の遊技制御基板のそれぞれに対応して形成し、その対応関係を作業者に識別可能に構成することを特徴とする遊技機。
【請求項２】
遊技動作を制御する遊技制御基板と、少なくとも電飾部品を制御する機能と効果音の発生を制御する機能とを有し且つ前記遊技制御基板とは別体に設けられた演出制御基板と、遊技盤裏面に設けられ、前記演出制御基板を裏面側に取り付けるための裏面取付部材と、前記演出制御基板の背面側を覆う状態に取り付けられ、背面に遊技制御基板を取付可能なカバー部材と、を備える遊技機において、
前記演出制御基板に設けられる演出制御基板コネクタ部と、前記遊技制御基板に設けられる遊技制御基板コネクタ部とは、所定間隔離間すると共に前後方向に互いに近接した状態で配置され、
前記カバー部材の裏面に取り付けられた遊技制御基板の遊技制御基板コネクタ部と、演出制御基板の演出制御基板コネクタ部とを接続するための配線接続用開口部を前記カバー部材に形成し、
前記配線接続用開口部は、
前記カバー部材の裏面に取り付けられる遊技制御基板により裏面側が被覆される位置に形成することを特徴とする遊技機。
【請求項３】
遊技盤の遊技領域に表示面が臨むように遊技盤裏面の所定位置に設けられた表示器と、前記表示器の表示面が臨む表示窓部が形成され、遊技盤前面から取り付けられる前面構成部材と、前記表示器の背面側を覆った状態で遊技盤裏面側から取り付けられるカバー部材と、前記カバー部材の背面側に取り付けられ、前記表示器の表示動作を制御する表示制御基板と、を備える遊技機において、
前記前面構成部材は、
前記前面構成部材自体を遊技盤に取り付けるための取付基板と、
前記表示器の前面側に開口し、前記表示器の表示面が後方に臨んだ状態で凹室を形成可能な表示用開口部と、
前記表示器の表示面が前記表示窓部に臨むように表示器を裏面側から取付可能な表示器取付部と、
を形成し、
前記前面構成部材に前記表示器が組み付けられた表示ユニットを遊技盤前面から取り付ける一方、前記カバー部材及び前記表示制御基板を遊技盤裏面側から取り付け、
前記表示制御基板に設けられる表示制御基板コネクタ部と、前記表示器の表示器コネクタ部と、を前記カバー部材の配線接続用開口部を介して配線接続することを特徴とする遊技機。
【請求項４】
前記カバー部材には、
特別遊技の判定に係わる信号を検出可能な始動センサと遊技制御基板とを接続するための始動センサ配線用開口部を前記配線接続用開口部とは別個形成することを特徴とする請求項１〜３の何れか一項に記載の遊技機。
【請求項５】
遊技動作を制御する遊技制御基板と、少なくとも電飾部品を制御する機能と効果音の発生を制御する機能とを有し且つ前記遊技制御基板とは別体に設けられた演出制御基板と、遊技盤裏面に設けられ、前記演出制御基板を裏面側に取り付けるための裏面取付部材と、前記演出制御基板の背面側を覆う状態に取り付けられ、背面に遊技制御基板を取付可能なカバー部材と、を備える遊技機において、
前記遊技制御基板に設けられる発光部と、前記演出制御基板に設けられる受光部とは、所定間隔離間されると共に前後方向に互いに近接した状態で配置され、該発光部と受光部の間に前記カバー部材を貫通した状態で板状若しくは棒状の導光体を備え、前記遊技制御基板から演出制御基板へのデータを前記発光部から該導光体を介して前記受光部へ送信可能に構成したことを特徴とする遊技機。
【発明の詳細な説明】
【０００１】
【発明の属する技術分野】
本発明は、遊技機に関する。
【０００２】
【従来の技術】
従来、パチンコ遊技機などの遊技機には、前面側が、遊技球が射出されて流下する遊技領域とされた遊技盤の裏面に、遊技球を供給する球供給部と、入賞口等の遊技盤の開口部から遊技盤の裏面側に流入した遊技球の排出経路と、遊技盤に形成された開口から表示画面を露出した状態で配置される変動表示装置と、遊技の進行に関する制御を行う遊技制御装置を備えた遊技制御基板（主基板）と、遊技制御装置の制御に基づいて変動表示装置や効果音や各種ランプ等を制御する演出制御装置を備えた演出制御基板（副基板）と、各種配線を遊技制御基板や演出制御基板に接続する際に配線を中継させる中継基板などとが設けられている。
【０００３】
従って、遊技盤の裏面という限られた面積の中に多くの装置（基板）を配置する必要があることから、遊技盤の裏面に複数の基板を前後方向に重ねた状態として配置している。そして、遊技盤の裏面に各種基板を前後方向に重ねて配置するために、例えば、遊技盤の裏面の一部を覆うようにカバー部材を設け、遊技盤裏面のカバー部材で覆われる部分（カバー部材の中）と、カバー部材の裏面（カバー部材の外）とにそれぞれ基板を取り付けることにより、基板を前後方向に重ねて配置するパチンコ遊技機が知られている（例えば、特許文献１参照）。
また、特許文献１の遊技機においては、カバー部材の裏面に取り付けられる遊技制御基板や演出制御基板を保護するために、これらをボックス内に収納している。
【０００４】
【特許文献１】
特開２００２−２７３００２号公報（第２−５頁、第３図）
【０００５】
【発明が解決しようとする課題】
ところで、遊技盤に配置されるセンサやランプ（ＬＥＤを含む）と、変動表示装置と、中継基板と、遊技制御基板と、演出制御基板とは、それぞれ必要に応じて配線で接続する必要があるが、遊技盤の裏面をカバー部材で覆ってしまい、そのカバー部材の裏面に例えば、遊技制御基板を配置するような構成にすると、少なくとも遊技盤に配置されるセンサ、ランプ及び変動表示装置と、遊技制御基板とを配線接続する際に、これら装置が前後に重なるとともに、これら装置の間にカバー部材があることで、これら装置間の配線接続が煩雑なものとなる。さらに、カバー部材の中に演出制御基板や中継基板を配置した場合、やはり、カバー部材を介して演出制御基板及び中継基板と遊技制御基板との配線接続を行うことになり、配線接続が煩雑なものとなる。また、各基板をボックスに収容するような場合には、さらに配線接続が煩雑なものとなる。
【０００６】
また、パチンコ遊技機には、多くの種類のものが製造されており、例えば、カバー部材に配線を通す開口部が必要な場合に、パチンコ遊技機の種類（各種基板、変動表示装置の形状やサイズや配置）によって、カバー部材の開口部の位置が異なるものを用意する必要がある。例えば、コスト低減のために各種パチンコ遊技機で、カバー部材を共通化するものとし、カバー部材の開口部の位置を固定してしまうと、各種基板等の形状、サイズ、配置によっては、開口部を通すように配線を行うと、配線が極めて長くなるといった問題が生じる。
また、上述のように遊技制御基板（遊技制御装置）と演出制御基板（演出制御装置）と中継基板とを必要に応じて配線接続し（すなわち、各制御装置間を配線で接続し）、各種データの通信を行っているため、配線自体に不正な電子部品等を取り付けるような不正行為が行われていた。特に、第１種パチンコ機の場合、始動口に入賞した球を検出する始動口検出センサ（始動センサ）から主制御装置まで接続する配線に不正な電子部品が取り付けられ、大当たりのタイミングに始動入賞があったであるかの如く始動入賞信号を発生させ、大当たり状態を発生させるような不正が行われていた。
【０００７】
以上のことから、カバー部材を用いることにより、遊技機の組立作業や分解修理等の作業が繁雑なものとなるという問題があった。また、カバー部材を用いた場合には、遊技機の裏面側の一部がカバー部材で覆われることにより、不正行為を抑制する効果があるものの必ずしも十分なものではなかった。
【０００８】
本発明は、上記実状に鑑みてなされたものであり、遊技盤の裏面にカバー部材を設けて前後に各種装置（基板等）を配置することで、遊技盤の限られた面積の中に各種装置を配置するような構成となっていても容易に組立できる遊技機を提供することを目的し、さらに、不正行為を抑制することができる遊技機を提供することを目的とする。
【０００９】
【課題を解決するための手段】
上記課題を解決するため、
請求項１記載の発明は、遊技動作を制御する遊技制御基板と、少なくとも電飾部品を制御する機能と効果音の発生を制御する機能とを有し且つ前記遊技制御基板とは別体に設けられた演出制御基板と、遊技盤裏面に設けられ、前記演出制御基板を裏面側に取り付けるための裏面取付部材と、前記演出制御基板の背面側を覆う状態に取り付けられ、背面に遊技制御基板を取付可能なカバー部材と、を備える遊技機において、
前記演出制御基板に設けられる演出制御基板コネクタ部と、前記遊技制御基板に設けられる遊技制御基板コネクタ部とは、所定間隔離間すると共に前後方向に互いに近接した状態で配置され、
前記カバー部材は、
大きさや形状の異なる複数種の遊技制御基板の何れでも取付可能な取付部を裏面側に設け、前記取付部に取り付けられた遊技制御基板の遊技制御基板コネクタ部と、演出制御基板の演出制御基板コネクタ部と、を接続するための配線接続用開口部を複数種の遊技制御基板のそれぞれに対応して形成し、その対応関係を作業者に識別可能に構成することを特徴としている。
【００１０】
ここで、遊技機としては、例えば、パチンコ遊技機、アレンジボール遊技機、雀球遊技機などの弾球遊技機や、パチスロ遊技機或いはスロットマシンなどが挙げられる。
また、「遊技制御基板」とは、遊技制御装置となる電子回路を備えた基板であり、遊技機で行なわれる遊技、例えば、第１種のパチンコ遊技機であれば、後述する変動表示ゲームにおける変動表示ゲームの開始、当たりの抽選等を遊技球の入賞口（変動表示ゲームの始動口）の入賞に基づいて行うものである。
【００１１】
また、「演出制御基板」とは、演出制御装置となる電子回路を備えた基板であり、遊技制御基板の制御の基に、各種ランプ（ＬＥＤを含む）、電動装飾部材等の電飾部品の制御と、スピーカを介して出力される効果音の発生の制御とを行うものであり、さらに、液晶ディスプレイやＥＬディスプレイやＬＥＤのドットもしくは液晶のセグメントにより画像を表示するディスプレイやスロットマシンの回転ドラムのような機械式の変動表示装置を備えた遊技機においては、これら変動表示装置の制御を行うものとしても良い。
【００１２】
また、「複数種の遊技制御基板」とは、例えば、パチンコ遊技機においては、大きく分けて第１種、第２種、第３種といった分類があり、それぞれ異なる遊技制御基板が用いられ、さらに同じ分類であっても異なる遊技制御基板が用いられる場合があり、これらが複数種の遊技制御基板となる。なお、これら複数種の遊技基板においては、形状やサイズや配線接続用の遊技制御基板コネクタ部の位置等が異なる。
【００１３】
また、「作業者」とは、遊技機の組立や修理等のメンテナンスを行う者であって、少なくとも遊技機への遊技制御基板の取り付けと、遊技制御基板コネクタ部と演出制御基板コネクタ部との配線接続を行う者である。
【００１４】
この請求項１に記載の発明によれば、前記カバー部材は、大きさや形状の異なる複数種の遊技制御基板の何れでも取付可能な取付部を裏面側に設け、前記取付部に取り付けられた遊技制御基板の遊技制御基板コネクタ部と、演出制御基板の演出制御基板コネクタ部と、を接続するための配線接続用開口部を複数種の遊技制御基板のそれぞれに対応して形成するので、異なる遊技制御基板を用いる遊技機において、カバー部材を共通化することができるとともに、カバー部材の前面側の演出制御基板と裏面側の遊技制御基板とをカバー部材を通して配線接続する際にカバー部材を共通化することにより、配線接続用開口部が固定されて遊技制御基板の種類によって配線が長くなってしまうのを防止することができる。すなわち、カバー部材の各遊技制御基板に対応した最適な位置にそれぞれ配線接続用開口部を形成することができる。
【００１５】
また、配線接続用開口部を複数種の遊技制御基板のそれぞれに対応して形成し、その対応関係を作業者に識別可能に構成するので、配線接続用開口部が複数あっても、作業者が演出制御基板コネクタ部と遊技制御基板コネクタ部との配線接続を行う際に、容易に配線を通す配線接続用開口部を認識して、容易に配線接続作業を行うことができる。
以上のことから、限られた遊技機の面積内に複数の制御基板を配置するために、カバー部材を用いて前後に重ねて遊技制御基板と演出制御基板とを配置するようにした場合に、カバー部材を介して遊技制御基板と演出制御基板とで配線を行う必要があるが、このような場合に容易に配線を行うことができる。したがって、カバー部材を有する遊技機の組立等の作業を容易なものとすることができる。
【００１６】
なお、カバー部材に設けられた複数の配線接続用開口部のうちの実際に配線が通される配線接続用開口部以外の配線接続用開口部は、カバー部材の裏面側に取り付けられた遊技制御基板に覆われるようにしても良い。すなわち、大きさや形状が異なる遊技制御基板によっては、異なる配線接続用開口部が用いられることになるが、この際に各配線接続用開口部の配置に対応して遊技制御基板の形状の一部を変更し、使用しない配線接続用開口部が遊技制御基板に覆われるようにしても良い。このようにすることで、カバー部材に複数の配線接続用開口部を設けても、使用されていない配線接続用開口部は、遊技制御基板によりほぼ塞がれた状態となるので、配線接続用開口部が複数あり、かつ、配線が通されずに完全に開口した状態の配線接続用開口部があっても、配線接続用開口部からカバー部材内の部品に対して不正行為を行いにくくすることができる。
【００１７】
請求項２記載の発明は、遊技動作を制御する遊技制御基板と、少なくとも電飾部品を制御する機能と効果音の発生を制御する機能とを有し且つ前記遊技制御基板とは別体に設けられた演出制御基板と、遊技盤裏面に設けられ、前記演出制御基板を裏面側に取り付けるための裏面取付部材と、前記演出制御基板の背面側を覆う状態に取り付けられ、背面に遊技制御基板を取付可能なカバー部材と、を備える遊技機において、
前記演出制御基板に設けられる演出制御基板コネクタ部と、前記遊技制御基板に設けられる遊技制御基板コネクタ部とは、所定間隔離間すると共に前後方向に互いに近接した状態で配置され、
前記カバー部材の裏面に取り付けられた遊技制御基板の遊技制御基板コネクタ部と、演出制御基板の演出制御基板コネクタ部とを接続するための配線接続用開口部を前記カバー部材に形成し、
前記配線接続用開口部は、
前記カバー部材の裏面に取り付けられる遊技制御基板により裏面側が被覆される位置に形成することを特徴としている。
【００１８】
請求項２記載の発明によれば、前記配線接続用開口部は、前記カバー部材の裏面に取り付けられる遊技制御基板により裏面側が被覆される位置に形成するので、遊技制御基板をカバー部材に取り付けることで、カバー部材の配線接続用開口部がほぼ閉塞された状態となり、カバー部材に大きな配線接続用開口部を設けても、該開口部からカバー部材内の部品に対して不正行為を行いにくくすることができる。従って、カバー部材に例えば作業者の手をカバー部材内に挿入可能な大きさ以上の配線接続用開口部を設けても不正行為を行い安くなるようなことがなく、上述のような大きさ以上の配線接続用開口部を設けて、カバー部材を介した演出制御基板と遊技制御基板との配線接続を容易なものとすることができる。従って、カバー部材を有する遊技機の組立等の作業を容易なものとすることができる。
【００１９】
また、上述のような大きさ以上の配線接続用開口部を設けた場合には、配線接続用開口部内の配線の配置の自由度が高くなり、前記カバー部材を共通化して配線接続用開口部の位置が固定されても、大きさやサイズやコネクタ部の位置が異なる遊技制御基板によって配線が長くなってしまうようなことを防止することができる。
以上のことから、限られた遊技機の面積内に複数の制御基板を配置するために、カバー部材を用いて前後に重ねて遊技制御基板と演出制御基板とを配置するようにした場合に、カバー部材を介して遊技制御基板と演出制御基板とで配線を行う必要があるが、このような場合に容易に配線を行うことができる。
【００２０】
請求項３記載の発明は、遊技盤の遊技領域に表示面が臨むように遊技盤裏面の所定位置に設けられた表示器と、前記表示器の表示面が臨む表示窓部が形成され、遊技盤前面から取り付けられる前面構成部材と、前記表示器の背面側を覆った状態で遊技盤裏面側から取り付けられるカバー部材と、前記カバー部材の背面側に取り付けられ、前記表示器の表示動作を制御する表示制御基板と、を備える遊技機において、
前記前面構成部材は、
前記前面構成部材自体を遊技盤に取り付けるための取付基板と、
前記表示器の前面側に開口し、前記表示器の表示面が後方に臨んだ状態で凹室を形成可能な表示用開口部と、
前記表示器の表示面が前記表示窓部に臨むように表示器を裏面側から取付可能な表示器取付部と、
を形成し、
前記前面構成部材に前記表示器が組み付けられた表示ユニットを遊技盤前面から取り付ける一方、前記カバー部材及び前記表示制御基板を遊技盤裏面側から取り付け、
前記表示制御基板に設けられる表示制御基板コネクタ部と、前記表示器の表示器コネクタ部と、を前記カバー部材の配線接続用開口部を介して配線接続することを特徴としている。
【００２１】
ここで「表示器」とは、例えば、液晶表示器やＥＬ表示器である。液晶表示器は、表示面を形成する液晶層と、前記液晶層の裏面側から光を投射するための光源と、前記液晶層を駆動するための液晶駆動部とを備える。
若しくは、表示面を形成する液晶層と、前記液晶層の裏面側から光を投射するための光源とを備え、前記液晶層を駆動するための液晶駆動部は、表示制御基板と一体に設けても良い。
【００２２】
ＥＬ表示器の場合１．２ｍｍ程度の厚さの透明なガラス基板と、このガラス基板の裏面（背面）上に固定された透明な薄膜型のＥＬ素子と、で構成されている。このＥＬ素子は、例えば、ＺｎＳ（硫化亜鉛）等の蛍光物質を主成分とする発光層と、その両面に固定された電極類と、これら電極類の表面を覆う絶縁層等からなる。
【００２３】
また、「表示制御基板」は、表示器の表示動作を制御するもので、少なくとも表示器に表示データ、データ制御信号を供給するものであるが、例えば、表示制御の機能と会わせて上述の遊技制御基板や演出制御基板としての機能を有するものであっても良い。
また、「前面構成部材」とは、例えば、パチンコ遊技機においては、表示器とともに変動表示装置を構成するものであり、表示器の前側で、装飾、遊技球の経路の規制や誘導等を行うものである。
【００２４】
請求項３記載の発明によれば、前記前面構成部材に前記表示器が組み付けられた表示ユニットを遊技盤前面から取り付ける一方、前記カバー部材及び前記表示制御基板を遊技盤裏面側から取り付け、前記表示制御基板に設けられる表示制御基板コネクタ部と、前記表示器の表示器コネクタ部と、を前記カバー部材に形成された配線接続用開口部を介して配線接続するので、遊技機の組立作業を容易なものとすることができる。
すなわち、前面構成部材と表示器とを遊技盤の前面側から一緒に取り付けられるので、表示器の取付を容易なものとすることができ、さらに、カバー部材と表示制御基板とを遊技盤裏面に取り付ける際に、表示器と表示制御基板とを配線接続するようにすれば、カバー部材が表示器と表示制御基板との間にあっても、カバー部材の取付前に配線の接続を行うことで容易に配線接続を行うことができる。また、表示器が前面構成部材を用いて遊技盤の前面側から遊技盤に取付可能なので、取り外しも遊技盤の前面側から可能となり、カバー部材を取り付けた後に遊技盤に表示器を取り付けることが可能となるとともに、カバー部材を取り外すことなく、表示器の取り外し及び取り付けが可能となる。従って、遊技機の組立、分解修理等における自由度が高くなる。
【００２５】
請求項４記載の発明は、請求項１〜３の何れか一項に記載の遊技機において、
前記カバー部材には、特別遊技の判定に係わる信号を検出可能な始動センサと遊技制御基板とを接続するための始動センサ配線用開口部を前記配線接続用開口部とは別個形成することを特徴としている。
【００２６】
ここで、始動センサとは、例えば、パチンコ遊技機において、始動入賞口に遊技球が入賞した際に、それを検知するものであり、始動センサからの検知信号のタイミングにより特別遊技の当たり外れが左右されるようになっている。また、パチスロ遊技機の場合に、始動センサは、変動表示（例えば、ドラムの回転）開始を行うためのレバーの操作を検知するものであり、始動センサからの検知信号のタイミングにより特別遊技の当たり外れが左右されるようになっている。
【００２７】
請求項４記載の発明によれば、カバー部材には、特別遊技の判定に係わる信号を検出可能な始動センサと遊技制御基板とを接続するための始動センサ配線用開口部を前記配線接続用開口部とは別個形成するので、例えば、始動センサ配線に不正な電子部品を取り付けるようなことが行なわれた場合に、容易に発見することができる。また、不正行為が容易に発見されやすいと言う特性から、不正行為を行っても直ぐに発見されて不正行為による利益を得づらくなり、不正行為を行うこと自体を抑制することができる。
【００２８】
請求項５記載の発明は、遊技動作を制御する遊技制御基板と、少なくとも電飾部品を制御する機能と効果音の発生を制御する機能とを有し且つ前記遊技制御基板とは別体に設けられた演出制御基板と、遊技盤裏面に設けられ、前記演出制御基板を裏面側に取り付けるための裏面取付部材と、前記演出制御基板の背面側を覆う状態に取り付けられ、背面に遊技制御基板を取付可能なカバー部材と、を備える遊技機において、
前記遊技制御基板に設けられる発光部と、前記演出制御基板に設けられる受光部とは、所定間隔離間されると共に前後方向に互いに近接した状態で配置され、該発光部と受光部の間に前記カバー部材を貫通した状態で板状若しくは棒状の導光体を備え、前記遊技制御基板から演出制御基板へのデータを前記発光部から該導光体を介して前記受光部へ送信可能に構成したことを特徴としている。
【００２９】
ここで板状もしくは棒状の導光体とは、光導波路を形成するものであり、光信号を伝送するものであるが、例えば、容易に弾性変形する繊維状の光ファイバを含まず、板状もしくは棒状に形成されたものである。
【００３０】
請求項５記載の発明によれば、前記遊技制御基板に設けられる発光部と、前記演出制御基板に設けられる受光部とは、所定間隔離間されると共に前後方向に互いに近接した状態で配置され、該発光部と受光部の間に前記カバー部材を貫通した状態で板状若しくは棒状の導光体を備え、前記遊技制御基板から演出制御基板へのデータを前記発光部から該導光体を介して前記受光部へ送信可能に構成したので、データの送受を配線を用いて行った場合のように配線に不正な電子部品を取り付けるような不正行為を防止することができる。
【００３１】
さらに、導光体が板状もしくは棒状なので、光ファイバよりも不正行為を行うことが困難であり、より確実に不正行為を防止することができる。すなわち、金属配線への電子部品の装着に比較して困難ではあるが、市販の治具を用いて光ファイバに光デバイス等を接続する加工が可能であり、完全に不正行為を防止することはできないが、板状もしくは棒状の導光体を加工して光デバイス等を接続することは極めて困難である。
【００３２】
また、配線接続に代えて導光体を用いてデータの送信が可能となるので、発光部と受光部の間に前記カバー部材を貫通した状態で板状若しくは棒状の導光体を配置することで、遊技制御基板と表示制御基板との接続を終了することが可能となり、カバー部材を介して前後に配置された遊技制御基板と演出制御基板との接続を容易なものとすることができる。
【００３３】
すなわち、限られた遊技機の面積内に複数の制御基板を配置するために、カバー部材を用いて前後に重ねて遊技制御基板と演出制御基板とを配置するようにした場合に、カバー部材を介して遊技制御基板と演出制御基板とでデータ送信を行う必要があるが、このような場合に容易にデータ送信用の接続を行うことができる。
【００３４】
【発明の実施の形態】
以下、この発明の実施の形態について、図面を参照しながら説明する。
【００３５】
〔第１の実施の形態〕
以下、この発明に係る第１の実施の形態について、図１〜図７を参照しながら説明する。
【００３６】
以下、図面を参照して、本発明に係る実施の形態について説明する。
本実施の形態は、本発明に係る遊技機の適例としてのパチンコ遊技機、特に、いわゆる「第１種」に属するタイプのパチンコ遊技機について説明を行うものである。
【００３７】
図１に示すように、本実施の形態のパチンコ遊技機１００（パチンコ遊技機１００のうちの主に後述する遊技盤１の前面部分を図示）の前面おいては、遊技盤１のガイドレール２で囲まれた遊技領域１ａに、図示しない発射装置によって発射された遊技球が流下するようになっている。
また、前記遊技領域１ａには、遊技球の通過により普通変動表示ゲームの始動条件を付与する普図始動ゲート６，６、普通変動表示ゲームを表示する普通図柄（普図）表示装置（普通図柄変動表示部）７、普図表示装置７での普通変動表示ゲームの結果如何によって開閉部材９ａ，９ａを開（遊技者にとって有利な状態）閉（遊技者にとって不利な状態）させる始動入賞口（特図始動入賞口）を兼ねた普通変動入賞装置９、普通変動入賞装置（始動入賞口）９への遊技球の入賞に基づき変動表示ゲーム（ここでは特別変動表示ゲーム）を表示する変動表示装置（特別図柄表示装置）４、変動表示装置４での特別変動表示ゲームの結果如何によって大入賞口５ｂを閉塞状態（遊技者にとって不利な状態）から開放状態（遊技者にとって有利な状態）に変換するサイクル遊技を行う特別変動入賞装置５、一般入賞口８，…、サイドランプ１２，１２、風車と呼ばれる打球方向変換部材１４，１４、多数の障害釘（一部だけ図示）１６，…などが配設されている。遊技領域１ａの最下端部中央にはアウト球を回収するためのアウト穴１３が設けられている。
また、パチンコ遊技機１００の遊技盤１の下には、入賞により払い出された遊技球（賞球）を受ける受け皿となるとともに、遊技球を遊技領域１ａ内に発射する発射装置（図示略）に誘導する上皿（図示略）が設けられるが、遊技盤１の下部には、上皿へ賞球を払い出す際に、賞球が通過するための上皿連通用開口部１ｃが形成されている。
【００３８】
このうち普図表示装置７の奥には、例えば７セグメント型のＬＥＤなどによって構成された普通図柄（普図）の変動表示ゲームの表示を行う普図表示器７ａ（図２に図示）が配され、その普図表示器７ａの表示状態を変化させることにより、普図表示装置７において普通図柄（例えば、数字、記号などからなる図柄等）の変動表示ゲーム（普図変動表示ゲーム）を実行可能となっている。
【００３９】
変動表示装置４は、図１及び図５に示すように、前面構成部材４１と液晶表示装置４２（表示器）とからなり、液晶表示装置４２は、表示状態が変化可能な表示画面４２ａ（表示面）を備え、この表示画面４２ａにおいて複数種類の識別情報（例えば、キャラクタ、数字、記号などからなる図柄（特別図柄）等）を変動表示させることにより特別図柄（特図）の変動表示ゲームを実行可能となっている。なお、液晶表示装置４２は、表示画面４２ａを構成する液晶ディスプレイとバックライトと液晶ディスプレイを駆動する駆動回路及び周辺回路を備えるユニットとなっている。
【００４０】
また、図５に示すように、液晶表示装置４２は、後述する演出制御装置２０となる回路を備えた演出制御基板２１とともに、表示ボックス５０に収納されている。なお、表示ボックス５０は、その前面に表示画面４２ａを露出するための図示しない開口部が形成されているとともに、液晶表示装置４２及び演出制御基板２１を固定する図示しない固定部材が備えられている。また、表示ボックス５０は、その前側の容器部５０ａと後側の蓋部５０ｂとが着脱可能に取り付けられている。さらに、表示ボックス５０には、放熱用の複数の開口５１が形成されているとともに、その裏面には、後述する中継基板５２を取り付けるための取付部材（ボス）５３が設けられている。
【００４１】
また、表示ボックス５０は、図示しない表示ボックス取付部材（裏面取付部材）により、遊技盤１に設けられた取付用開口部１ｂに液晶表示装置４２の表示画面４２ａを臨ませるように、遊技盤１の裏面に取り付けられる。従って、表示ボックス５０を遊技盤１に取り付けることにより、液晶表示装置４２、演出制御基板２１及び中継基板５２を同時に遊技盤１に取り付けられるようになっている。
【００４２】
そして、液晶表示装置４２は、演出制御基板２１に設けられ、後述するように表示制御装置としての機能を有する演出制御装置２０から入力される表示データ、制御信号に基づいて液晶ディスプレイを駆動して画像の表示が可能となっている。なお、演出制御基板２１は、中継基板５２と配線接続され、中継基板５２は、後述する遊技制御基板３１との配線接続用のコネクタ部５５を有する。なお、中継基板５２は、演出制御基板２１と、遊技制御基板３１との配線接続を中継するとともに、演出制御基板２１と後述するように演出制御基板２１に制御される各種ランプ等の電飾部品やスピーカと演出制御基板２１との配線接続を中継するものであり、ここでは、演出制御装置２０の一部の機能を果たしており、演出制御装置２０の一部となっている。従って、中継基板５２は、演出制御基板２１を二つの基板に分割した際の一方の基板と見なすことができる。そして、前記コネクタ部５５が演出制御基板２１と遊技制御基板３１とを接続するものとなるので、前記コネクタ部５５は、演出制御基板コネクタ部となる。
【００４３】
なお、前記中継基板５２の位置に、演出制御基板２１を配置し、演出制御基板２１に演出制御基板コネクタ部となるコネクタ部５５を設けるものとしても良い。この場合に、中継基板５２は、別の位置に設けられるとともに、演出制御基板２１と遊技制御基板３１との配線接続を中継することなく、電飾部品及びスピーカ等と演出制御基板２１との接続の中継を行うものとなる。なお、中継基板５２は、この例において、各種センサ等の遊技制御基板３１に信号を出力する装置や、各種ソレノイド等の遊技制御基板３１により制御される装置と遊技制御基板３１との配線の中継も行うものとなっている。
【００４４】
また、前面構成部材４１は、図５に示すように、遊技盤１の中央部に設けられた取付用開口部１ｂに遊技盤１の前面側から取り付けられるとともに、液晶表示装置４２の表示画面４２ａに対応する表示用開口部４３を備えた表示窓部４３ａ有し、該表示用開口部４３を囲む略枠状に形成されている。また、前面構成部材４１の外周部は、鍔状に遊技盤１の前面に沿って形成された取付基板４１ａが形成されている。また、前面構成部材４１は、表示用開口部４３の周囲が遊技盤１の前面側から裏面側に窪む凹状となっており、表示用開口部４３に対応する位置に遊技盤１の裏面側から取り付けられる液晶表示装置４２の表示画面４２ａを底面とする凹室４４を遊技盤１の中央部に形成するようになっている。
【００４５】
また、前面構成部材４１の凹室４４の上に設けられ、凹室４４への遊技球の進入を防止して表示画面４２ａを遊技球から保護する鎧部４５の中央部には、第３ファン装置４６（第１及び第２ファイン装置６０ａ，７２ａは後述する）が設けられている。鎧部４５の中央部には、遊技盤１と直交する円筒状の筒状壁部４７が形成されている。筒状壁部４７内は、遊技盤１の前面側の空間と、遊技盤１の裏面側の後述するカバー部材６０内とを連通する連通孔となっている。そして、筒状壁部４７の前部内に第３ファン装置４６が固定されている。なお、第３ファン装置４６は、吸気もしくは排気によりカバー部材６０内を放熱（冷却）するとともに、前面構成部材４１の鎧部４５の位置で、遊技盤１の前面側に露出していることから、例えば、変動表示装置４における変動表示ゲームの表示内容に対応して回転開始及び停止を行うことで、変動表示装置４による変動表示ゲームの演出の一部として機能する。
【００４６】
普通変動入賞装置９は、この実施の形態では変動表示装置（特別図柄表示装置）４の下方の遊技領域１ａに配設されており、左右一対の開閉部材９ａ，９ａを具備している。この開閉部材９ａ，９ａは、普段は遊技球が１個流入可能な程度の間隔で閉じた状態（遊技者にとって不利な状態）を保持しているが、普通図柄表示装置（普通図柄変動表示部）７における普通変動表示ゲームの結果として所定の結果が表示された場合には、普通図柄の当りとなって、普電ソレノイド９ｂ（図２に普電ＳＯＬとして図示）の駆動により逆「ハ」の字状に開いて普通変動入賞装置９に遊技球が流入し易い状態（遊技者にとって有利な状態）に変換されるようになっている。
【００４７】
普通変動入賞装置９は、図１に示すように、遊技球の流入（入賞）に基づき前記特別変動表示ゲームの始動条件を成立させる特図の始動入賞口も兼ね、その内部（入賞領域）に特図始動センサ９ｃ（破線で図示）を備えている。また、前記普図始動ゲート６内には、該普図始動ゲート６を通過した遊技球を検出するための普図始動センサ６ａ（図２に図示）が設けられている。
【００４８】
このような構成により、遊技領域１ａ内に打ち込まれた遊技球が、普図始動ゲート６，６内を通過し、遊技球が普図始動センサ６ａに検出されると、普図表示装置７において普図の変動表示ゲームが行われる。
この普図の変動表示ゲームは、普図表示器７ａの表示状態（点灯状態）を所定時間変動表示させた後、停止表示させることにより行うようになっている。
この普図の変動表示ゲームの結果、普図表示器７ａにおける停止表示が特別の結果態様となれば、普図の変動表示ゲームが当たりとなって、普通変動入賞装置９の開閉部材９ａ、９ａが普電ソレノイド９ｂにより所定時間（例えば、０．５秒間）開放される。それにより、普通変動入賞装置９に遊技球が入賞しやすくなり、特図の変動表示ゲームの始動が容易となる。
【００４９】
特別変動入賞装置５は、アタッカー形式の開閉扉（可動部材）５ａによって開閉される大入賞口５ｂを備えている。また、開閉扉５ａは、大入賞口ソレノイド５ｃ（図２に大入賞口ＳＯＬとして図示）の駆動により、その上端側が手前側に倒れる方向に回動して開放可能になっている。そして、前記普通変動入賞装置９への遊技球の入賞（特図始動センサ９ｃでの遊技球の検出）に基づいて行われる、変動表示装置（特別図柄表示装置）４の表示画面４２ａにおける特別変動表示ゲームの表示結果（変動表示装置４の表示画面４２ａの各変動表示領域における特別図柄の停止態様）が予め定められた特別結果態様（例えば、特別図柄が「６，６，６」のぞろ目等の特定の組合せ態様）となって特別遊技状態（大当り遊技状態）が発生した場合に、大入賞口５ｂを閉塞状態（遊技者にとって不利な状態）から多数の遊技球を獲得し易い開放状態（遊技者にとって有利な状態）に変換するサイクル遊技が行われるようになっている。
【００５０】
この大入賞口５ｂの内部（入賞領域）には、該大入賞口５ｂに入った遊技球のうち一般入賞領域に流入した遊技球を検出するためのカウントセンサ５ｄ（破線で図示）と、大入賞口５ｂに入った遊技球のうち継続入賞領域（Ｖ入賞領域，特別入賞口ともいう）に流入した遊技球を検出するための継続センサ５ｅ（破線で図示）及び継続入賞領域に遊技球が流入した後は遊技球を継続入賞領域に流入させないようにして継続入賞領域への遊技球の入賞率を調整する流路切替ソレノイド５ｆ（図２に流路切替ＳＯＬとして図示）等が配設されている。
【００５１】
このような構成により、遊技領域１ａ内に打ち込まれた遊技球が、普通変動入賞装置９に入賞すると、遊技球が特図始動センサ９ｃに検出され、特図の変動表示装置４の表示画面４２ａにおいて、複数種類の識別情報が変動表示される特図の変動表示ゲームが開始される。
この特図の変動表示ゲームの結果として、表示画面４２ａの表示態様が上述の特別結果態様となった場合には、大当たりとなって特別遊技状態（大当り遊技状態）となる。
この大当たり状態中は、特別変動入賞装置５の大入賞口５ｂを大入賞口ソレノイド５ｃにより閉じた状態から開放状態に変換するサイクル遊技が、所定回数を限度に行われ、これにより遊技者は遊技球を大量獲得する機会を得る。すなわち、パチンコ遊技機は、特図変動表示ゲームの結果、予め定められた特別結果態様となることに関連して、遊技者に有利な特別遊技状態が発生するといった所定の遊技価値を付与可能となる。
【００５２】
また、各一般入賞口８，…の内部（入賞領域）には、該一般入賞口８，…に入った遊技球を検出するための入賞口センサ８ａ（図１に一部を破線で図示）が配設されている。
また、遊技盤１の裏面には、上述のように液晶表示装置４２と演出制御基板２１を内部に備え、裏面に中継基板５２を備えた表示ボックス５０が取り付けられるとともに、図３及び図５に示すように、これら表示ボックス５０等を覆うようにカバー部材６０が設けられている。
カバー部材６０は、前面が開口した略箱状の形状を有するもので、前面側の開口を遊技盤１の裏面に向けて、カバー部材６０の前部が遊技盤１の裏面に取り付けられている。
【００５３】
また、カバー部材６０には、放熱のための吸気もしくは排気用の第１開口部６１…及び第２開口部６２…（図５に図示）がそれぞれ複数設けられている。第１開口部６１…は箱状のカバー部材６０の上面に形成され、第２開口部６２はカバー部材６０の一方の側面に形成されている。
また、カバー部材６０の他方の側面には、第１ファン装置６０ａが取り付けられる図示しないファン用開口部が設けられ、ファン用開口部に取り付けられた第１ファン装置６０ａにより、強制吸気もしくは強制排気が行なわれ、それに伴って上述の第１開口部６１…及び第２開口部６２…から排気もしくは吸気が行なわれ、カバー部材６０内の放熱（冷却）が行なわれる。
【００５４】
また、図５に示すように、カバー部材６０の裏面には、カバー部材６０の裏面に取り付けられた後述する遊技制御ボックス７０の前面上部から前方に突出して設けられた吸気口部７１が挿入される第３開口部６３と、遊技制御ボックス７０の前面下部から前方に突出した排気口部７２が挿入される第４開口部６４とを備える。
【００５５】
また、カバー部材６０の裏面には、カバー部材６０内の中継基板５２に設けられたコネクタ部５５に対応する位置に、コネクタ部５５に接続される配線を挿通させるための配線接続用開口部６５が設けられている。なお、図３において、カバー部材６０の配線接続用開口部６５が一つだけ図示されているが、実際には、図６に示すように、複数の配線接続用開口部６５、６６、６７が設けられている。なお、実際にコネクタ部５５に対応し、配線の接続に用いられるのは、図３に示す配線接続用開口部６５であり、コネクタ部５５が露出する配線接続用開口部６５以外の図６に示す配線接続用開口部６６，６７は、後述するように別種のパチンコ遊技機１００で同じカバー部材６０を用いた場合に用いられるものである。
【００５６】
また、カバー部材６０には、その裏面に遊技制御基板３１を取り付けるための取付部６８が複数（例えば三つ）設けられている。取付部６８は、周知のパネル固定用部材であるナイラッチが用いられている。
また、遊技制御基板３１は、遊技制御ボックス７０に収納された状態で、カバー部材６０の裏面に取り付けられるようになっている。そして、遊技制御基板３１には、中継基板５２のコネクタ部５５と配線接続される遊技制御基板コネクタ部３２が設けられるとともに、ホール管理装置との中継装置、カード式遊技球貸出装置等の周辺装置やその他の装置と接続する（外部機器と接続する）ための複数のコネクタ部３３ａ〜ｇが設けられている。
【００５７】
遊技制御ボックス７０には、その前面の上部に上述の吸気口を有する吸気口部７１が設けられ、下部に上述の排気口を有する排気口部７２が設けられている。そして、排気口部７２には、第２ファン装置７２ａが設けられ、第２ファン装置が遊技制御ボックス７０からカバー部材６０内に強制排気を行うことにより、吸気口部７１から遊技制御ボックス７０内に吸気が行なわれ、遊技制御ボックス内の放熱（冷却）が行なわれる。
【００５８】
遊技制御ボックス７０は、その上端部が、上端部より下の部分より薄くなるように形成され、上端部の裏面側に遊技制御基板３１の遊技制御基板コネクタ部３２及び他のコネクタ部３３ａ〜ｇを露出させるための配線接続用開口部７３が形成されている。
また、遊技制御ボックス７０は、それぞれ、ほぼ箱状で対向する面が互いに開口となった前側の容器部７０ａと後側の蓋部７０ｂとが着脱可能に接合されて、閉じたボックス状となっている。そして、遊技制御ボックス７０には、その左右にそれぞれ、容器部７０ａと蓋部７０ｂとを接続するかしめ部７４が設けられ、各かしめ部７４には、複数のかしめ部材７４ａが設けられている。各かしめ部材７４ａは、容器部７０ａから突出する突出部７４ｂと、蓋部７０ｂに設けられ、前記突出部７４ｂが貫通する貫通孔を有するととともに貫通孔を貫通した突出部７４ｂを上下に挟み込む挟持部７４ｃと有し、挟持部７４ｃを例えばかしめることにより、突出部７４ｂと挟持部７４ｃとが、切断しないと分離不可能な状態で接合するようになっている。なお、かしめる際に、挟持部７４ｃを加熱するものとしても良い。そして、遊技制御ボックス７０においては、各かしめ部７４のうちの例えば一つずつのかしめ部材７４ａをかしめることにより、遊技制御ボックス７０を封印した状態となる。
【００５９】
そして、遊技制御ボックス７０が不正に開けられた際に、かしめ部材７４ａが破損することから、遊技制御ボックス７０が開けられたことを容易に発見することができる。また、複数のかしめ部材７４ａがあることから、遊技制御基板３１の修理を行う必要があるような場合に、各かしめ部７４で一つのかしめ部材７４ａを切断して遊技制御ボックス７０を開けても、残りのかしめ部材７４ａで再び遊技制御ボックス７０を封印することができる。また、遊技制御ボック７０を複数回開けることにより、切断されたかしめ部材７４ａが存在しても、切断されたかしめ部材７４ａの数を記憶しておけば、その状態で、不正に遊技制御ボックスを開けた場合に、破損したかしめ部材７４ａが増加することにより、不正を発見することができる。
【００６０】
前記カバー部材６０の内側には、上述のように液晶表示装置４２及び演出制御基板２１を内蔵した表示ボックス５０が配置されるとともに、図４（遊技盤１裏面のカバー部材を取り除いた状態を示す）に示すように表示ボックス５０の外側の裏面に遊技制御基板３１と接続されるコネクタ部５５を有する中継基板５２が配置されている。なお、中継基板５２は、表示ボックス５０に設けられた開口部５７を介して、表示ボックス５０内の演出制御基板２１の中継基板用コネクタ部２４に配線接続される演出制御用コネクタ部５２ａを有する。また、中継基板５２は、後述する電飾部材用中継基板８１のコネクタ部８１ａと配線接続される電飾部材用コネクタ部５２ｂと、後述するセンサ用中継基板８２のコネクタ部８２ａと配線接続されるセンサ用コネクタ部５２ｃとを有する。
【００６１】
また、カバー部材６０内には、サイドランプ１２を含む装飾ランプ等の電飾部材と、中継基板５２との配線接続を中継する上記電飾部材用中継基板８１と、入賞口センサ８ａ等の各センサと、中継基板５２との配線接続を中継するセンサ用中継基板８２とが遊技盤１の裏面に取り付けられた状態となっている。
【００６２】
そして、中継基板５２は、上述のように表示ボックス５０を介して、演出制御基板２１に接続されるとともに、電飾部材用中継基板８１、センサ中継用基板８２等を介して各種センサ、各種電飾部材に接続され、かつ、遊技制御基板と接続される。従って、中継基板５２は、演出制御基板２１と各種電飾部材との配線を中継するとともに、演出制御基板２１及び各種センサと遊技制御基板３１との配線を中継する。また、各種電飾部材の点灯や動作、図示しないスピーカからの効果音の出力、液晶表示装置４２の表示を制御する演出制御基板２１（演出制御装置２０）は、遊技制御基板３１（遊技制御装置３０）の制御に基づいて動作する。従って、中継基板５２は、演出制御基板２１（変動表示装置４、各種電飾部材、スピーカ等に接続）及び各種センサと、遊技制御基板３１との信号の送受を、中継基板５３のコネクタ部５５と、遊技制御基板３１の遊技制御基板コネクタ部３２との配線接続にまとめることができる。従って、パチンコ遊技機１００内の配線の接続を容易にすることができる。
【００６３】
ここで、遊技制御基板３１に設けられた遊技制御装置３０及び演出制御基板２１に設けられた演出制御装置２０について説明する。
パチンコ遊技機１００においては、各種センサからの入力（各種入賞口への遊技球の入賞等に対応する）に基づいて、例えば、遊技球の入賞や変動表示ゲームの開始、変動表示ゲームの当たり外れの抽選、特別変動入賞装置５の開閉、普通変動入賞装置９の開閉等の制御を行う遊技制御装置３０（入賞に基づく遊技球の払い出し等の制御も行うものとしても良いし、別に遊技球を払い出す制御を行う排出制御装置を有するものとしても良い）と、演出制御基板２１（中継基板５２を含む）に設けられるとともに、遊技制御装置３０から送られるコマンドやデータに基づいてサイドランプ１２を含む装飾ランプ等の電飾部材と、スピーカ（図示略）から出力される効果音の発生とを制御するとともに、変動表示装置４を制御する演出制御装置２０とが遊技制御基板３１及び演出制御基板２１として別体に設けられている。
【００６４】
そして、遊技制御装置３０は、図２に示すように、制御のために、各種演算制御処理等を行うものであり、内部にＣＰＵ３０ａ、ＲＡＭ３０ｂ、ＲＯＭ３０ｃ等を備えた遊技用マイクロコンピュータ３０ｄを備えるとともに、ＣＰＵ３０ａ等のクロックの生成に用いられる発振器３０ｅと、外部との信号の入出力を行う入力Ｉ／Ｆ３０ｆ及び出力Ｉ／Ｆ３０ｇとを備える。
【００６５】
ＣＰＵ３０ａは、制御部、演算部を備え、上述のような遊技制御装置３０の制御に係わる演算制御を行う。また、ＣＰＵ３０ａは、変動表示ゲームの当たり外れに係わる乱数値の発生、変動表示ゲームの表示パターンに係わる乱数値の発生等を行う。なお、遊技制御装置３０は、ＣＰＵ３０ａとは別に、乱数発生用の回路を備えるものとしても良い。
ＲＡＭ３０ｂは、例えば、特図変動表示ゲームの始動信号としての特図始動センサ９ｃのＯＮ信号の記憶（特図始動記憶）の記憶領域、普図変動表示ゲームの始動信号としての普図始動センサ６ａのＯＮ信号の記憶（普図始動記憶）の記憶領域、上述の各種乱数値の記憶領域。各種データを一時的に記憶する記憶領域、並びに、ＣＰＵ３０ａの作業領域を備えている。
【００６６】
ＲＯＭ３０ｃには、遊技上の制御プログラムや制御データが書き込まれている。また、制御データには、特図や普図の変動表示ゲームに係わる各種判定値（例えば、変動表示ゲームの当たり外れを上述の生成された乱数値に比較して判定するための判定値）が書き込まれている。
入力Ｉ／Ｆ３０ｆには、図示しないローパスフィルタ及びバッファゲートを介して、特図始動センサ９ｃ、普図始動センサ６ａ、継続センサ５ｅ、カウントセンサ５ｄ、入賞口センサ８ａ、…などが接続され、それら各センサから出力される検出信号が入力Ｉ／Ｆ３０ｆを介してＣＰＵ３０ａに出力されるようになっている。
【００６７】
一方  出力Ｉ／Ｆ３０ｇには、ＣＰＵ３０ａから出力される各種の制御信号が入力され、それらの制御信号は、出力Ｉ／Ｆ３０ｇから、図示しない出力ポート及びドライバを介して、普図表示器７ａ、普電ソレノイド９ｂ、大入賞口ソレノイド５ｃ、流路切替ソレノイド５ｆなどに出力されている。
【００６８】
演出制御装置２０は、この例において、音制御機能と、電飾制御機能と、表示制御機能とを有し、効果音、装飾ランプ、変動表示装置により、変動表示ゲームの演出や各種情報の表示などを遊技制御装置３０の管理下で統括的に行うものである。
演出制御装置２０は、図示しないＣＰＵ、ＲＡＭ、ＲＯＭ等を備え、上述の効果音、装飾ランプ、変動表示装置の演算制御を行うとともに、音データの出力や制御、表示データの出力や制御等のために、複数の周辺回路（チップ）を備える。
【００６９】
そして、演出制御装置２０は、音制御として、遊技制御装置３０からの指令に基づき、スピーカ（図示略）による発音動作などを制御する。また、演出制御装置２０は、電飾制御として、遊技制御装置３０からの指令に基づき、上述の特図始動記憶や普図始動記憶に記憶された上述のＯＮ信号の記憶数を表示する表示器（特図始動記憶表示器、普図始動記憶表示器）のＬＥＤの点灯状態を制御したり、サイドランプ１２等のランプ類の電飾部材の点灯状態を制御したりする。
【００７０】
また、演出制御装置２０は、遊技制御装置３０からの指令に基づいて、変動表示装置４に図柄による特図の変動表示ゲームを含む各種の演出表示や、その他の各種情報表示などを行わせる表示制御を行う。
【００７１】
以下に、上述のようなパチンコ遊技機１００の本発明の主要な構成となる部分を図６及び図７を参照して説明する。
上述のようにカバー部材６０には、その裏面側に遊技制御基板３１を取り付けるための取付部６８（例えば、左上、左下、右下の三つ）が設けられているが、この取付部６８には、図７（ａ）に示す上述の第１種のパチンコ遊技機の遊技制御基板３１だけではなく、図７（ｃ）に示す第２種のパチンコ遊技機の遊技制御基板３４と、図７（ｂ）に示す第３種のパチンコ遊技機の遊技制御基板３５を取り付けることが可能となっている。そして、これら遊技制御基板３１，３４，３５は、それぞれ互いに異なる形状を有するものとなっている。なお、図７（Ｃ）だけ、左上の取付部６８を用いずに、遊技制御基板３４を取り付けているが、取付部６８の位置を配線接続用開口部６６より下方に移動して、いずれの遊技制御基板３１，３４，３５も、三つの取付部６８によりカバー部材６０の裏面側に取り付けられるようにしても良い。
【００７２】
そして、カバー部材６０には、上述のように、三つの配線接続用開口部６５、６６、６７が設けられている。これらの配線接続用開口部６５、６６、６７は、例えば、左右に並んだ状態に設けられており、三つのうちの中央の配線接続用開口部６６が、第１種の遊技制御基板３１用とされ、左側の配線接続用開口部６６が第２種の遊技制御基板３４用とされ、右側の配線接続用開口部６７が第３種の遊技制御基板３５用とされている。
【００７３】
そして、予めどの配線接続用開口部６５，６６，６７がどの遊技制御基板３１，３４，３５用になっているかが定められており、第１種、第２種、第３種のうちのどのパチンコ遊技機１００を組み立てるかを認識している作業者がどの配線接続用開口部６５，６６，６７を用いて遊技制御基板３１，３４，３５と中継基板５２（演出制御基板２１）とを接続するかを、配線接続用開口部６５，６６，６７のそれぞれの位置から認識できるようになっている。なお、第１種とは、上述のように特図の変動表示ゲームを行い、変動表示ゲームが大当たり時に特別遊技状態となり大入賞口５ｂの開閉を繰り返し行ういわゆるデジパチと呼ばれているもので、第２種とはいわゆるハネモノといわれているもので、第３種とはいわゆる権利ものである。
【００７４】
また、中継基板５２も、各パチンコ遊技機の種類毎に異なるものが用いられるとともに、コネクタ部５５の位置が上述の各パチンコ遊技機の種類に対応するカバー部材６０の配線接続用開口部６５，６６，６７に臨む位置とされている。
また、カバー部材６０の配線接続用開口部６５，６６，６７の近傍に、それぞれ、第１種用、第２種用、第３種用がそれぞれ識別できるように異なる記号（マーク）や異なる文字（文字列）や異なる色を印刷等により表示したり、それぞれの配線接続用開口部の形状を異なるもの、例えば、丸、三角、四角等としたりすることで、作業者に各配線接続用開口部を識別可能としても良い。また、カバー部材６０に色を印刷する場合には、配線接続用開口部６５、６６、６７の周縁部に色を付けるものとしても良い。
【００７５】
また、この場合に、遊技制御基板３１，３４，３５にも、カバー部材６０の対応する配線接続用開口部６５，６６、６７の近傍に設けられた記号、文字、色と同じ記号、文字、色を設けるものとしても良い。また、カバー部材６０の各配線接続用開口部６５，６６，６７の形状を例えば、丸、三角、四角等とした場合に、各遊技制御基板３１，３４，３５に配線接続用開口部６５，６６，６７の形状に対応して丸、三角、四角等のマークを付けるものとしても良い。また、カバー部材６０の各配線接続用開口部６５，６６，６７の周縁部にそれぞれ異なる色を付けるものとした場合に、遊技制御基板３１，３４，３５の遊技制御基板コネクタ部３２と、中継基板５２のコネクタ部５５とを接続する配線の色を各パチンコ遊技機の種類に対応する配線接続用開口部６５，６６，６７の周縁部の色と同じにしても良い。また、上述の配線に上述の記号、文字、色を付けたタグを付けるものとしても良い。
【００７６】
また、この例においては、カバー部材６０の配線接続用開口部６５，６６，６７の形状は、この例において、水平方向に沿って長いものとされ、中継基板５２の矩形状のコネクタ部５５と、遊技制御基板３１，３４，３５の矩形状の遊技制御基板コネクタ部３２ともそれぞれ水平方向に沿って長いものとされている。そして、中継基板５２と遊技制御基板３１，３４，３５との間で多くの配線を接続する際に、配線接続用開口部６５，６６，６７が水平方向に細長い形状となっているので、効率的に配線を配置することができる。特に、複数の配線をまとめたフラットケーブルを用いる際に、配線接続用開口部６５，６６，６７が細長い形状となっていることが好ましい。なお、配線接続用開口部６５，６６，６７の長さ方向を水平方向ではなく、垂直方向としても良い。この場合には、コネクタ部５５と遊技制御基板コネクタ部３２との長さ方向が垂直方向に沿っていることが好ましい。
【００７７】
また、パチンコ遊技機１００の各種類に対応する遊技制御基板３１，３４，３５は、それぞれ、この例において大きさはほぼ同様のものとし、主に形状が異なるものとされているが、大きさを異なるものとしても良い。さらに、この例においては、遊技制御基板３１、３４、３５は、カバー部材６０の裏面に取り付けられた状態で、カバー部材６０の三つ並んだ配線接続用開口部６５，６６，６７の部分を覆う大きさとされるとともに、対応する配線接続用開口部６５，６６，６７の位置に切欠部６５ａ，６６ａ，６７ａが形成され、対応する配線接続用開口部６５，６６，６７が露出するようになっている。
【００７８】
そして、各パチンコ遊技機１００の種類に対応する遊技制御基板３１，３４，３５においては、各切欠部６５ａ，６６ａ，６７ａの下側の近傍にそれぞれ遊技制御基板コネクタ部３２が設けられている。すなわち、カバー部材６０に遊技制御基板３１，３４，３５を取り付けた状態で、カバー部材６０の配線接続用開口部６５，６６，６７から露出する中継基板５２のコネクタ部５５の下側の近傍に、遊技制御基板３１の遊技制御基板コネクタ部３２が配置され、コネクタ部５５と遊技制御基板コネクタ部３２とを接続する配線Ｌを極めて短いものとすることができる。
【００７９】
すなわち、図７（ａ）に示すように、第１種のパチンコ遊技機において、遊技制御基板３１をカバー部材６０に取り付けると、中央の配線接続用開口部６５が遊技制御基板３１の切欠部６５ａから露出し、左右の配線接続用開口部６６，６７が遊技制御基板３１と前後に重なることにより遊技制御基板３１に覆い隠されるようになっている。そして、中継基板５２の配線接続用開口部６５から露出するコネクタ部５５と、遊技制御基板３１の遊技制御基板コネクタ部３２とが上下に近接してほぼ並んだ状態となる。
【００８０】
また、図７（ｃ）に示すように、第２種のパチンコ遊技機において、遊技制御基板３４をカバー部材６０に取り付けると、左の配線接続用開口部６６が遊技制御基板３４の切欠部６６ａから露出し、中央と右の配線接続用開口部６５，６７が遊技制御基板３４と前後に重なることにより遊技制御基板３４に覆い隠されるようになっている。そして、中継基板５２の配線接続用開口部６６から露出するコネクタ部５５と、遊技制御基板３４の遊技制御基板コネクタ部３２とが上下に近接してほぼ並んだ状態となる。
【００８１】
また、図７（ｂ）に示すように、第３種のパチンコ遊技機において、遊技制御基板３５をカバー部材６０に取り付けると、左の配線接続用開口部６７が遊技制御基板３５の切欠部６７ａから露出し、中央と左の配線接続用開口部６５，６６が遊技制御基板３５と前後に重なることにより遊技制御基板３５に覆い隠されるようになっている。そして、中継基板５２の配線接続用開口部６７から露出するコネクタ部５５と、遊技制御基板３５の遊技制御基板コネクタ部３２とが上下に近接して並んだ状態となる。
【００８２】
なお、図７において、遊技制御ボックス７０を図示省略したが、遊技制御ボックス７０は、遊技制御基板３１，３４，３５の形状に対応して、遊技制御基板３１，３４，３５の切欠部６５ａ，６６ａ，６７ａの位置に、カバー部材６０の配線接続用開口部６５，６６，６７を露出させる凹部が形成されている必要がある。
【００８３】
以上のようなパチンコ遊技機１００によれば、前記演出制御基板２１（中継基板５２）に設けられるコネクタ部５５（演出制御基板コネクタ部）と、前記遊技制御基板３１，３４，３５に設けられる遊技制御基板コネクタ部３２とは、所定間隔離間すると共に前後方向に互いに近接した状態で配置され、前記カバー部材６０は、大きさや形状の異なる複数種の遊技制御基板３１，３４，３５の何れでも取付可能な取付部６８、…を裏面側に設け、前記取付部６８，…に取り付けられた遊技制御基板３１，３４，３５の遊技制御基板コネクタ部３２と、中継基板５２（演出制御基板２１）のコネクタ部５５と、を接続するための配線接続用開口部６５，６６，６７を複数種の遊技制御基板３１，３４，３５のそれぞれに対応して形成し、その対応関係を作業者に識別可能に構成するので、異なる遊技制御基板３１，３４，３５を用いるパチンコ遊技機において、カバー部材６０を共通化することができる。
【００８４】
さらに、カバー部材６０の前面側の中継基板５２（演出制御基板）と裏面側の遊技制御基板３１，３４，３５とをカバー部材６０を通して配線接続する際に、大きさや形状の異なる複数種の遊技制御基板３１，３４，３５のそれぞれに対応して配線接続用開口部６５，６６，６７を複数形成するので、カバー部材６０を共通化することにより、配線接続用開口部６５が固定されて遊技制御基板３１，３４，３５の種類によって配線が長くなってしまうのを防止することができる。
【００８５】
また、各遊技制御基板３１，３４，３５と複数の配線接続用開口部６５，６６，６７との対応関係がその位置等によって作業者に識別可能となっているので、配線接続用開口部６５，６６，６７が複数あっても、作業者がコネクタ部５５（演出制御基板コネクタ部）と遊技制御基板コネクタ部３２との配線接続を行う際に、容易に配線を通す配線接続用開口部６５，６６、６７を認識して、容易に配線接続作業を行うことができる。
以上のことから、限られたパチンコ遊技機１００の面積内に複数の制御基板を配置するために、カバー部材６０を用いて前後に重ねて遊技制御基板３１と演出制御基板２１とを配置するようにした場合に、カバー部材を介して遊技制御基板３１と演出制御基板２１とで配線を行う必要があるが、このような場合に容易に配線を行うことができる。したがって、カバー部材６０を有するパチンコ遊技機１００の組立等の作業を容易なものとすることができる。
【００８６】
また、この例においては、演出制御基板２１と遊技制御基板３１とを直接接続せずに、中継基板５２を介して接続するようにし、かつ、中継基板５２に、演出制御基板２１以外に、センサ用中継基板８２も接続し、これらと遊技制御基板３１との配線も中継基板５２が中継するようにしているので、カバー部材６０内の演出制御基板２１のコネクタ部、各種センサの端子と、カバー部材６０外の遊技制御基板３１との配線接続を、中継基板５２のコネクタ部５５と遊技制御基板コネクタ部３２とでまとめて行うことができる。
【００８７】
また、カバー部材に設けられた複数の配線接続用開口部６５，６６，６７のうちの実際に配線が通される配線接続用開口部６５，６６，６７以外の配線接続用開口部６５，６６，６７は、カバー部材６０の裏面側に取り付けられた遊技制御基板３１，３４，３５に覆われるようになっている。
すなわち、大きさや形状が異なる遊技制御基板３１，３４，３５によっては、異なる配線接続用開口部６５，６６，６７が用いられることになるが、この際に各配線接続用開口部６５，６６，６７の配置に対応して遊技制御基板３１，３４，３５の形状の一部を変更し、使用しない配線接続用開口部６５，６６，６７が遊技制御基板３１，３４，３５に覆われるようになっている。このようにすることで、カバー部材６０に複数の配線接続用開口部６５，６６，６７を設けても、使用されていない配線接続用開口部６５，６６，６７は、遊技制御基板３１，３４，３５によりほぼ塞がれた状態となるので、配線接続用開口部６５，６６，６７が複数あり、かつ、配線が通されずに完全に開口した状態の配線接続用開口部６５，６６，６７があっても、配線接続用開口部６５，６６，６７からカバー部材６０内の部品に対して不正行為を行いにくくすることができる。
【００８８】
〔第２の実施の形態〕
以下、この発明に係る第２の実施の形態について、図８及び図９を参照しながら説明する。
なお、第２の実施の形態の遊技機は、カバー部材６０の配線接続用開口部６９の形状と、中継基板５２のコネクタ部５５の配置と、遊技制御基板３６の形状及び遊技制御基板コネクタ部３２の配置とが第１の実施の形態の遊技機と異なるが、それ以外の構成は、第１の実施の形態の遊技機と同様の構成を有する。
従って、以下に、第１の実施の形態の遊技機と異なる部分だけ説明する。
図８に示すように、この例のカバー部材６０には、その中央部にカバー部材６０の背面の１／４程度の面積を有する大きな配線接続用開口部６９が形成されている。
【００８９】
カバー部材６０の配線接続用開口部６９は、パチンコ遊技機１００の組立等を行う作業者の手が挿入可能な大きさとされている。さらに、配線接続用開口部６９は、作業者が配線接続用開口部６９かカバー部材６０内に手を挿入した状態でカバー部材６０内で配線の取り扱いが可能な大きさとされている。すなわち、配線接続用開口部６９の左右幅及び前後幅は、一般的な手の幅より広いものとなっている。また、配線接続用開口部６９は、遊技制御基板３６よりは小さなものとされ、カバー部材６０の裏面に取付部６８を用いて遊技制御基板３６を取り付けた場合に、遊技制御基板３６とカバー部材６０の配線接続用開口部６９とが重なるとともに、配線接続用開口部６９が、この開口部６９より大きな遊技制御基板３６により完全に覆われた状態となり、カバー部材６０の配線接続用開口部６９がカバー部材６０に取り付けられた遊技制御基板３６によりほぼ閉塞された状態なっている。
【００９０】
そして、中継基板５２のコネクタ部５５は、配線接続用開口部６９から露出した状態とされている。なお、中継基板５２は、上述のように演出制御基板２１の一部とされるものであり、コネクタ部５５は、演出制御基板コネクタ部となるものである。また、中継基板５２に代えて、中継基板５２の位置に演出制御基板２１を配置し、演出制御基板２１に演出制御基板コネクタ部となるコネクタ部５５を配置しても良い。
そして、この例においてコネクタ部５５は配線接続用開口部６９のほぼ中央部に配置されている。
【００９１】
そして、遊技制御基板３６は、その上部に上述の外部機器と接続するためのコネクタ部３３ａ〜ｈが設けられ、遊技制御ボックス７０の配線接続用開口部７３が設けられているが、この配線接続用開口部７３には、遊技制御基板コネクタ部３２が配置されていない。
この例において、遊技制御基板コネクタ部３２は、中継基板５２と対向する遊技制御基板３１の前面側に設けられており、遊技制御基板コネクタ部３２と中継基板５２のコネクタ部５５とが前後に離れた状態でほぼ前後に重なる位置に配置されている。
【００９２】
また、遊技制御基板３１は、第１の実施の形態の場合と同様に遊技制御ボックス７０に収納された状態となっているが、遊技制御ボックス７０の前面側の遊技制御基板コネクタ部３２と重なる位置に、配線接続用開口部７６が設けられている。また、遊技制御ボックス７０の配線接続用開口部７６は、それより大きなカバー部材６０の配線接続用開口部６９と前後に重なる範囲内に配置されている。
そして、配線接続は、例えば、遊技制御基板３６をカバー部材６０の裏面に取り付ける前に、カバー部材６０の配線接続用開口部６２から中継基板５２のコネクタ部５５に配線を接続するとともに、取付前の遊技制御基板３６の遊技制御基板コネクタ部３２に配線を接続し、次いで、遊技制御基板３６をカバー部材６０に取付部６８を用いて取り付ける。
【００９３】
以上のような第２の実施の形態のパチンコ遊技機１００によれば、遊技動作を制御する遊技制御基板３６と、少なくとも電飾部品を制御する機能と効果音の発生を制御する機能とを有し且つ前記遊技制御基板３６とは別体に設けられた中継基板５（演出制御基板２１の一部）と、遊技盤１裏面に設けられ、前記中継基板５２（演出制御基板２１）を裏面側に取り付けるための図示しない表示ボックス取付部材（裏面取付部材）と、前記演出制御基板２１の背面側を覆う状態に取り付けられ、背面に遊技制御基板を取付可能なカバー部材６０と、を備える遊技機において、前記中継基板５２に設けられるコネクタ部５５（演出制御基板コネクタ部）と、前記遊技制御基板３６に設けられる遊技制御基板コネクタ部３２とは、所定間隔離間すると共に前後方向に互いに近接した状態で配置され、前記カバー部材６０の裏面に取り付けられた遊技制御基板３６の遊技制御基板コネクタ部３２と、中継基板５２のコネクタ部５５とを接続するための配線接続用開口部６９を前記カバー部材６０に形成し、前記配線接続用開口部６９は、前記カバー部材６０の裏面に取り付けられる遊技制御基板３６により裏面側が被覆される位置に形成するので、カバー部材に大きな配線接続用開口部６９を設けても、該開口部６９からカバー部材６０内の部品に対して不正行為を行いにくくすることができる。従って、カバー部材６０に例えば作業者の手をカバー部材６０内に挿入可能な大きさ以上の配線接続用開口部６９を設けても不正行為を行い安くなるようなことがなく、上述のような大きさ以上の配線接続用開口部６９を設けて、カバー部材６０を介した演出制御基板２１と遊技制御基板３６との配線接続を容易なものとすることができる。従って、カバー部材６０を有する遊技機の組立等の作業を容易なものとすることができる。
【００９４】
また、配線接続用開口部６９を上述のように大きくすることが可能となることで、演出制御基板２１（中継基板５２や遊技制御基板３６の形状、大きさ、コネクタ部５５（遊技制御基板コネクタ部３２）の配置が異なっても、配線の経路がカバー部材６０の配線接続用開口部６９によって規制されないので、カバー部材６０を各種パチンコ遊技機１００で共通化するものとしても、配線が長くなるのを防止することができる。
【００９５】
すなわち、カバー部材６０の配線接続用開口部６９を大きくすることで、種類の異なる中継基板５２のコネクタ部５５（演出制御基板コネクタ部）の位置が互いに異なっても、大きな配線接続用開口部６９から各種類のコネクタ部５５を露出した状態とすることができるので、配線接続用開口部６９とコネクタ部５５及び遊技制御基板コネクタ部３２との位置がずれて、配線を迂回させる必要がなく、コネクタ部５５と遊技制御基板コネクタ部３２とのほぼ最短距離での配線が可能となる。
【００９６】
〔第３の実施の形態〕
以下、この発明に係る第３の実施の形態について、図１０を参照しながら説明する。
なお、第３の実施の形態の遊技機は、変動表示装置４の液晶表示装置４２の取付構造と、遊技制御基板３７が遊技制御装置３０と演出制御装置２０との両方の機能を備える点と、液晶表示装置４２と遊技制御基板３７が直接接続されている点と、カバー部材６０及び遊技制御ボックス７０の形状等とが第１の実施の形態の遊技機と異なるが、それ以外の構成は、第１の実施の形態の遊技機とほぼ同様の構成を有する。
従って、以下に、第１の実施の形態の遊技機と異なる部分だけ説明する。
変動表示装置４は、図１０に示すように、前面構成部材４１と液晶表示装置４２とからなる。
【００９７】
液晶表示装置４２は、第１の実施の形態において、演出制御基板２１とともに表示ボックス５０に収納された状態で、図示しない取付部材を介して遊技盤１の裏面に取り付けられていたが、第３の実施の形態においては、表示ボックス５０に収納されることなく、前面構成部材１に後述するように取り付けられた状態となっている。また、液晶表示装置４２は、遊技制御基板３７と接続するための表示器コネクタ部４２１を備えている。なお、液晶表示装置４２の機能は、第１の実施の形態と同様となっている。
【００９８】
前面構成部材４１は、後述するように液晶表示装置４２を取り付ける表示器取付部４１１を有する以外は、基本的に第１の実施の形態と同様の構成となっている。すなわち、前面構成部材は、遊技盤１の中央部に設けられた取付用開口部１ｂに遊技盤１の前面側から取り付けられるとともに、液晶表示装置４２の表示画面４２ａに対応する表示用開口部４３を備えた表示窓部４３ａ有し、該表示用開口部４３を囲む略枠状に形成されている。また、前面構成部材４１の外周部には、鍔状に遊技盤１の前面に沿って形成された取付基板４１ａが形成されている。また、前面構成部材４１は、表示用開口部４３の周囲が遊技盤１の前面側から裏面側に窪む凹状となっており、表示用開口部４３の部分に取り付けられる液晶表示装置４２の表示画面４２ａを底面とする凹室４４が遊技盤１の中央部に形成されるようになっている。
【００９９】
また、前面構成部材４１の凹室４４の上に設けられ、凹室４４への遊技球の進入を防止して表示画面４２ａを遊技球から保護する鎧部４５を有する。そして、前面構成部材４１の表示用開口部４３の内周側には、液晶表示装置４２を固定する表示器取付部４１１が形成されている。表示器取付部４１１は、液晶表示装置４２を図示しないネジ等の締結部材で液晶表示装置４２を固定するようになっている。
従って、第１の実施の形態において、液晶表示装置４２が前面構成部材４１とは別に遊技盤１の裏面側から取り付けられていたのに対して、第３の実施の形態では、液晶表示装置４２が前面構成部材４１に取り付けられて表示ユニットとされた状態で、前面構成部材４１とともに、遊技盤１の前面側から取り付けられるようになっている。
【０１００】
この例において、液晶表示装置４２を制御する表示制御機能は、遊技制御基板３７に設けられている。すなわち、第１の実施例において、パチンコ遊技機１００を制御する装置として、メインとなる遊技制御装置３０を備える遊技制御基板３１と、表示制御機能、電飾制御機能、音制御機能とを備えて表示、装飾ランプ、効果音等の演出を制御する演出制御装置２０を備える演出制御基板２１とが別体とされていたが、第３の実施の形態においては、遊技制御基板３７に遊技制御装置３０と演出制御装置２０とが一体に備えられた状態となっている。従って、遊技制御基板３７は、表示制御装置を有し、表示制御基板ということができる。
【０１０１】
そして、遊技盤１の裏面には、液晶表示装置４２を覆うようにカバー部材６０が取り付けられるとともに、カバー部材６０の裏面には、第１の実施の形態と同様に、取付部６８により遊技制御基板３７が取り付けられている。また、カバー部材６０には、取り付けられた遊技制御基板３７に覆われるとともに、液晶表示装置４２の表示器コネクタ部４２１とほぼ前後に重なる位置に、配線接続用開口部６０１が形成されている。
【０１０２】
また、遊技制御基板３７には、前記カバー部材６０の配線接続用開口部６０１と前後に重なる位置に遊技制御基板コネクタ部３７１が形成されている。また、遊技制御基板３７は、第１の実施の形態と同様に遊技制御ボックス７０内に収納された状態となっており、遊技制御ボックス７０のカバー部材６０に向いた前面には、遊技制御基板コネクタ部３７１と前後に重なる位置に、配線接続用開口部７０１が前方に突出するとともに、カバー部材６０の配線接続用開口部６０１内に挿入されるように形成されている。
【０１０３】
そして、このような第３の実施の形態のパチンコ遊技機１００の組立においては、前面構成部材４１に液晶表示装置４２（表示器）が取り付けられて表示ユニットとされた状態で、前面構成部材４１を遊技盤１の前面側から取り付ける。一方、カバー部材６０及び表示制御基板である遊技制御基板３７を遊技盤１の裏面側から取り付けるようになっている。そして、例えば、カバー部材６０、遊技制御ボックス７０、遊技制御基板３７を一体にした状態で遊技盤１の裏面に取り付ける前に、先に取り付けられた液晶表示装置４２の表示器コネクタ部４２１と遊技制御基板３７の遊技制御基板コネクタ部３７１とを配線Ｌ１により接続する。
【０１０４】
この際には、例えば、予め、カバー部材６０、遊技制御ボックス７０、遊技制御基板３７を一体に取り付けるとともに、配線Ｌ１をカバー部材６０の配線接続用開口部６０１及び遊技制御ボックス７０の配線接続用開口部７０１を通して、遊技制御基板コネクタ部３７１に接続しておき、カバー部材６０を遊技盤１の裏面に取り付ける際に、配線Ｌ１を表示器コネクタ部４２１に取り付ける。なお、液晶表示装置４２と遊技制御基板３７との配線接続は、上述のものに限られるものではなく、カバー部材６０、遊技制御ボックス７０、遊技制御基板３７を遊技盤１の裏面側から取り付けた後に、表示器コネクタ部４２１と遊技制御基板コネクタ部３７１とを接続するとともに、前面構成部材４１と一緒に液晶表示装置４２を遊技盤１に取り付けるものとしても良い。
【０１０５】
以上のような第３の実施の形態のパチンコ遊技機１００によれば、遊技盤１の遊技領域に表示画面４２ａ（表示面）が臨むように遊技盤１裏面の所定位置に設けられた液晶表示装置４２（表示器）と、前記液晶表示装置４２の表示画面４２ａが臨む表示窓部４３ａが形成され、遊技盤１前面から取り付けられる前面構成部材４１と、前記液晶表示装置４２の背面側を覆った状態で遊技盤１裏面側から取り付けられるカバー部材６０と、前記カバー部材６０の背面側に取り付けられ、前記液晶表示装置４２ａの表示動作を制御する遊技制御基板３７（表示制御基板）と、を備える遊技機において、前記前面構成部材４１は、前記前面構成部材４１自体を遊技盤１に取り付けるための取付基板４１ａと、前記液晶表示装置４２の前面側に開口し、前記液晶表示装置４２の表示画面４２ａが後方に臨んだ状態で凹室４４を形成可能な表示用開口部４３と、前記液晶表示装置４２の表示画面４２ａが前記表示窓部４３ａに臨むように液晶表示装置４２を裏面側から取付可能な表示器取付部４１１と、を形成し、前記前面構成部材４１に前記液晶表示装置４２が取り付けられた表示ユニットを遊技盤１前面から取り付ける一方、前記カバー部材６０及び前記遊技制御基板３７を遊技盤１裏面側から取り付け、前記遊技制御基板３７に設けられる遊技制御基板コネクタ部３７１（表示制御基板コネクタ部）と、前記液晶表示装置４２の表示器コネクタ部４２１と、を前記カバー部材６０の配線接続用開口部６０１を介して配線接続するので、パチンコ遊技機１００の組立作業を容易なものとすることができる。
【０１０６】
すなわち、前面構成部材４１と液晶表示装置４２とを遊技盤１の前面側から一緒に取り付けられるので、変動表示装置４の取付を容易なものとすることができ、さらに、カバー部材６０と遊技制御基板３７とを遊技盤裏面に取り付ける際に、液晶表示装置４２と遊技制御基板３７とを配線接続するようにすれば、カバー部材６０が液晶表示装置４２と遊技制御基板３７との間にあっても、カバー部材６０の取付前に配線を接続を行うことで容易に配線接続を行うことができる。また、液晶表示装置４２が前面構成部材４１を用いて遊技盤１の前面側から遊技盤１に取付可能なので、取り外しも遊技盤１の前面側から可能となり、カバー部材６０を取り付けた後に遊技盤１に液晶表示装置４２を取り付けることが可能となるとともに、カバー部材６０を取り外すことなく、液晶表示装置の取り外し及び取り付けが可能となる。従って、パチンコ遊技機１００の組立、分解修理等における自由度が高くなる。
【０１０７】
〔第４の実施の形態〕
以下、この発明に係る第４の実施の形態について、図１１〜図１３を参照しながら説明する。
なお、第４の実施の形態のパチンコ遊技機１００は、第１〜第３の実施の形態のパチンコ遊技機１００に以下に説明する構成を追加したものであり、追加した構成以外の部分は、第１〜第３の実施の形態のいずれかのパチンコ遊技機１００と同様の構成を有するものである。
従って、以下に、第１の実施の形態の遊技機と異なる部分だけ説明する。
【０１０８】
第１の実施の形態等においては、カバー部材６０に演出制御基板２１もしくは液晶表示装置４２と遊技制御基板３１（３４，３５，３６，３７）とを接続するための配線接続用開口部６５（６６，６７，６９，６０１）を設けるものとしたが、第４の実施の形態においては、カバー部材６０に配線接続用開口部６５（６６，６７，６９，６０１）に加えて、特図始動センサ９ｃ（始動センサ）と遊技制御基板３１とを接続する配線Ｌ２を通すための始動センサ配線用開口部６０２が形成されている。始動センサ配線用開口部６０２は、遊技盤１の中央の下に設けられた特図始動センサ９ｃの位置に対応してカバー部材６０の下部の中央部に形成されている。すなわち、カバー部材６０の下面の中央部から裏面の下部に渡ってスリット状に始動センサ配線用開口部６０２が形成されている。
なお、パチンコ遊技機１００が第２種の場合には、始動センサは、例えば、変動入賞装置内の特別入賞口に入賞した遊技球を検知する継続センサであっても良く、パチンコ遊技機１００が第３種の場合に、変動表示ゲームを行う変動表示装置を備えているならば、第１種の場合と同様に変動表示ゲームの開始に係わる始動センサとなる。
【０１０９】
また、特別変動表示ゲームの始動入賞口を有する普通変動入賞装置９に設けられて、入賞した遊技球を検知する特図始動センサ９ｃからの信号出力を伝送するための始動センサ用配線Ｌ２は、センサ用中継基板等を経由せずに、特図始動センサ９ｃから直接、遊技制御基板３１に接続されるようになっている。そして、始動センサ用配線Ｌ２は、特図始動センサ９ｃから延出し、遊技制御基板３１と接続される端部にプラグ９ｄが設けられ、プラグ９ｄが遊技制御基板３１の図示しない始動センサ用コネクタ部に接続される。
【０１１０】
また、遊技制御基板３１の始動センサ用コネクタ部は、カバー部材６０の始動センサ配線用開口部６０２に対応して、遊技制御基板の下端部の中央に設けられている。
遊技制御基板３１は、遊技制御ボックス７０に収容された状態とされ、遊技制御ボックス７０に、始動センサ用配線Ｌ２を通すための始動センサ用開口部７０２が形成されている。
【０１１１】
なお、始動センサ用配線Ｌ２は、配線の被覆材が蛍光色となっていることが好ましい。このように配線Ｌ２を目立たせることで、容易に配線Ｌ２を視認し、不正な電子部品が取り付けられていないか容易に確認することができる。
また、カバー部材６０の始動センサ配線用開口部６０２には、始動センサ用配線Ｌ２を通した後に、図１３（ｂ）に示すように、封印シール６０３を貼っても良い。なお、封印シール６０３としては、例えば、シールを剥がした際に、シールに開放厳禁、開封済み等の文字が浮き出るものや、さらに、シールを剥がした部分（シールが貼られていた部分）にも開放厳禁、開封済みの文字が付けられるものなど、シールが剥がされたことを容易に認知可能な周知の封印シール、改ざん防止シール等を用いることができる。このような封印シール６０３を用いることにより、配線に不正行為を行うために、封印シール６０３を一度剥がされた場合に、それを容易に発見することができる。
【０１１２】
以上のような第４実施例のパチンコ遊技機によれば、カバー部材６０には、特別遊技の判定に係わる信号を検出可能な特図始動センサ９ｃと遊技制御基板３１とを接続するための始動センサ配線用開口部６０２を前記配線接続用開口部６５とは別個形成するので、例えば、始動センサ用配線Ｌ２に不正な電子部品を取り付けるようなことが行なわれた場合に、容易に発見することができ、不正行為を防止することができる。上述のように封印シールを用いることにより、さらに容易に始動センサ用配線Ｌ２に対する不正行為を容易に発見することができる。
【０１１３】
以下、この発明に係る第５の実施の形態について、図１４を参照しながら説明する。
なお、第５の実施の形態のパチンコ遊技機１００は、第１〜第３の実施の形態のパチンコ遊技機１００に以下に説明する構成を追加したものであり、追加した構成以外の部分は、第１〜第３の実施の形態のいずれかのパチンコ遊技機１００と同様の構成を有するものである。
従って、以下に、第１の実施の形態の遊技機と異なる部分だけ説明する。
【０１１４】
この例のパチンコ遊技機においては、演出制御基板２１の一部である中継基板５２と、遊技制御基板３１との間のデータの送受の一部を上述の金属配線に変えて透光性を有する樹脂もしくはガラスからなる導光体８０を介して光通信で行うものである。
中継基板５２においては、遊技制御装置３０との間での信号（データ）の送受を行う配線が図示しないインタフェース（通信用ＩＣ）を介して光電変換素子９０（受光部）に接続されている。中継基板５２の光電変換素子９０は、中継基板５２の裏面側の遊技制御基板３１と対向する部分に実装されている。なお、中継基板５２を用いずに、演出制御基板２１もしくは液晶表示装置４２に光電変換素子９０を設けて、演出制御基板２１もしくは液晶表示装置４２（表示器）と遊技制御基板３１（表示制御装置を備えた表示制御基板でもある遊技制御基板３７）との間で光通信を行うものとしても良く、この場合には、演出制御基板２１もしくは液晶表示装置４２に設けられた組込型ＭＰＵ（マイクロコンピュータ、ＣＰＵ）とインタフェースを介して光電変換素子９０が接続されていても良い。
【０１１５】
また、遊技制御基板３１においては、遊技用マイクロコンピュータ３０ｄとインタフェースを介して光電変換素子９１（発光部）が接続されている。また、遊技制御基板３１の光電変換素子９１は、遊技制御基板３１の前面側の中継基板５２の光電変換素子９０と対向する位置に設けられている。
光電変換素子９０，９１は、例えば、発光素子としての半導体レーザと、受光素子としてフォトダイオードと、これら半導体レーザ及びフォトダイオードを駆動する駆動回路と、これら半導体レーザ及びフォトダイオード用の光学素子とを備えたものである。なお、遊技制御基板３１と中継基板５２との通信が、遊技制御基板３１から中継基板５２にデータを送信する一方通行の場合に、遊技制御基板３１には、受光素子がなく発光素子を有する光電変換素子９１を用い、中継基板５２には、発光素子がなく受光素子を有する光電変換素子９０を用いるものとしても良い。
【０１１６】
導光体８０は、上述のようにカバー部材６０の内側に配置された中継基板５２の光電変換素子９０とカバー部材６０の外側に配置された遊技制御基板３１の光電変換素子９１との間に、カバー部材６０を貫通した状態で配置される。従って、カバー部材６０には、導光体８０を貫通させる開口部６０４が設けられている。なお、導光体８０を貫通させる開口部６０４として配線接続用開口部６５（６６，６７，６９，６０１）を用いるものとしても良い。
そして、導光体８０は、光導波路として機能する棒状もしくは板状のものであれば良い。また、導光体８０は、透明な樹脂もしくはガラスから均一に構成されたものでも良く、例えば、アクリル樹脂を好適に用いることができる。そして、導光体８０は、空気より高い屈折率を有し、空気との屈折率差に基づく臨界角以下で導光体８０と空気との界面に入射した光は全反射することになり、例えば、導光体８０の一方の端面から所定範囲の角度で入射した光は、導光体８０の側面間で反射を繰り返した後に他方の端面から出射する。従って、導光体８０の前もしくは後の端面から入射した光の多くは、導光体８０内で反射を繰り返しながら導光体８０の後もしくは前の端面から出射し、導光体８０が光導波路となる。
【０１１７】
また、導光体８０は、均一な樹脂からなるものでなくとも良く、屈折率の異なる２種類の物質（樹脂もしくはガラス）からなっていても良い。すなわち、導光体８０は、光ファイバと同様にコアとクラッドからなるものとしても良い。例えば、板状もしくは棒状のクラッドとなる樹脂（ガラス）内部にコアとなる樹脂（ガラス）が線状もしくは棒状に配置された構造を有していても良く、この場合もコアとクラッドの屈折率差に基づいて光はコアとクラッドの界面で反射を繰り返しながらコア内を進行する。なお、クラッド内に複数のコアが存在しても良いし、クラッド内でコアが分岐もしくは結合したり、曲がっていたりしても良い。
【０１１８】
そして、導光体８０は、カバー部材６０に固定された支持部材８０ａにより支持されて、光電変換素子９０，９１の間に配置されている。
なお、遊技制御基板３１が遊技制御ボックス７０に収容されている場合には、遊技制御ボックス７０に、導光体８０を貫通させる開口部を形成する。
【０１１９】
このような構成のパチンコ遊技機においては、遊技制御基板３１から送信される信号、すなわち、遊技用マイクロコンピュータ３０ｄから出力Ｉ／Ｆを介して演出制御基板２１に出力される信号は、光電変換素子９１により電気信号から光信号に変換され、光として導光体８０の後側の端面に出射される。そして、導光体８０を通過した光信号は、中継基板５２の光電変換素子９０に入射し、光電変換素子９０により電気信号に変換され、配線を介して例えば演出制御基板２１等に送られる。
【０１２０】
一方、センサ等から入力した信号は、配線を介して中継基板５２に送られ、光電変換素子９０により電気信号から光信号に変換される。そして、変換された光信号は、導光体８０を介して遊技制御基板３１の光電変換素子９１に入射され、光電変換素子９１により電気信号に変換されて遊技用マイクロコンピュータ３０ｄに入力される。
【０１２１】
なお、導光体８０を用いて光信号で送られるデータは、特に限定されないが、不正行為に用いられやすいデータを光信号で送ることが好ましい。また、導光体８０と光電変換素子９０，９１とは、周知の光コネクタ部により接続されるものとしても良い。また、導光体８０や導光体８０と光電変換素子９０，９１との接続部の周囲に、遮光部材を設け、光漏れや光の進入を防止するようにしても良い。
【０１２２】
以上のような第５実施例のパチンコ遊技機によれば、遊技動作を制御する遊技制御基板３１と、少なくとも電飾部品を制御する機能と効果音の発生を制御する機能とを有し且つ前記遊技制御基板３１とは別体に設けられた演出制御基板２１（の一部となる中継基板５２）と、遊技盤１裏面に設けられ、前記中継基板５２（演出制御基板２１）を裏面側に取り付けるための図示しない表示ボックス取付部材（裏面取付部材）と、前記演出制御基板２１（中継基板５２）の背面側を覆う状態に取り付けられ、背面に遊技制御基板３１を取付可能なカバー部材６０とを備える遊技機において、前記遊技制御基板３１に設けられる光電変換素子９１（発光部）と、前記中継基板４２に設けられる光電変換素子９０（受光部）とは、所定間隔離間されると共に前後方向に互いに近接した状態で配置され、該光電変換素子９１と光電変換素子９０の間に前記カバー部材６０を貫通した状態で板状若しくは棒状の導光体８０を備え、前記遊技制御基板３１から中継基板５２へのデータを前記光電変換素子９１から該導光体８０を介して前記光電変換素子９０へ送信可能に構成したので、データの送受を配線を用いて行った場合のように配線に不正な電子部品を取り付けるような不正行為を防止することができる。
さらに、導光体８０が板状もしくは棒状なので、光ファイバよりも不正行為を行うことが困難であり、より確実に不正行為を防止することができる。すなわち、金属配線への電子部品の装着に比較して困難ではあるが、市販の治具を用いて光ファイバに光デバイス等を接続する加工が可能であり、完全に不正行為を防止することはできないが、板状もしくは棒状の導光体８０を加工して光デバイス等を接続することは極めて困難である。
また、配線接続に代えて導光体８０を用いてデータの送信が可能となるので、光電変換素子９０と光電変換素子９１の間に前記カバー部材６０を貫通した状態で板状若しくは棒状の導光体８０を配置することで、遊技制御基板３１と中継基板５２との接続を終了することが可能となり、カバー部材６０を介して前後に配置された遊技制御基板３１と中継基板５２（演出制御基板２１）との接続を容易なものとすることができる。
すなわち、限られた遊技機の面積内に複数の制御基板を配置するために、カバー部材６０を用いて前後に重ねて遊技制御基板３１と中継基板５２（演出制御基板２１）とを配置するようにした場合に、カバー部材６０を介して遊技制御基板３１と中継基板５２（演出制御基板２１）とでデータ送信を行う必要があるが、このような場合に容易にデータ送信用の接続を行うことができる。
【０１２３】
また、カバー部材６０の前後に別れて存在するそれぞれの基板等の装置に光電変換手段としての光電変換素子９０，９１を設け、これら光電変換素子９０，９１同士の間を、カバー部材６０を貫通する導光体８０によりつないでいるので、カバー部材６０に導光体８０を貫通させる開口部６０４を形成するものとしても、開口部６０４を導光体８０によりほぼ塞いだ状態とすることが可能となる。すなわち、カバー部材６０に信号伝達用の開口部６０４が形成されるものとしても、開口部６０４からの不正行為を防止することができる。
【０１２４】
また、第５の実施の形態の上述の説明では、主に第１の実施の形態に導光体８０を応用した例を説明したが、第３の実施の形態に導光体８０を応用しても良い。
例えば、遊技盤１の遊技領域に表示面（表示画面４２ａ）が臨むように遊技盤１裏面の所定位置に設けられた表示器（液晶表示装置４２）と、前記表示器の表示面が臨む表示窓部４３ａが形成され、遊技盤１前面から取り付けられる前面構成部材４１と、前記表示器の背面側を覆った状態で遊技盤１裏面側から取り付けられるカバー部材６０と、前記カバー部材６０の背面側に取り付けられ、前記表示器の表示動作を制御する表示制御基板（遊技制御基板３７）と、を備える遊技機において、前記前面構成部材４１は、前記前面構成部材４１自体を遊技盤１に取り付けるための取付基板４１ａと、前記表示器の前面側に開口し、前記表示器の表示面が後方に臨んだ状態で凹室４４を形成可能な表示用開口部４３と、前記表示器の表示面が前記表示窓部に臨むように表示器を裏面側から取付可能な表示器取付部４１１と、を形成し、前記前面構成部材４１に前記表示器が組み付けられた表示ユニットを遊技盤１前面から取り付ける一方、前記カバー部材６０及び前記表示制御基板を遊技盤１裏面側から取り付け、前記表示制御基板に設けられる発光部（光電変換素子９１）と、前記表示器に設けられる受光部（光電変換素子９０）とは、所定間隔離間されると共に前後方向に互いに近接した状態で配置され、該発光部と受光部の間に前記カバー部材６０を貫通した状態で板状若しくは棒状の導光体８０を備え、前記表示制御基板から表示器へのデータを前記発光部から該導光体８０を介して前記受光部へ送信可能に構成したことを特徴とする遊技機としても良く、上述の第１の実施の形態に導光体８０を応用した場合と同様の作用効果を得ることができる。
なお、本発明は、この実施の形態のパチンコ遊技機に限られるものではなく、例えば、その他のパチンコ遊技機、アレンジボール遊技機、雀球遊技機、パチスロ遊技機、スロットマシン等の遊技機にも適用可能である。
【０１２５】
また、図１５に示すように、例えば、第１の実施の形態のパチンコ遊技機１００において、カバー部材６０の配線接続用開口部６５（６６，６７）の近傍に、上述のように使用される遊技制御基板３１（３４，３５）の種類を示す記号６０６を設けるものとしても良く、これにより、作業者に使用すべき配線接続用開口部６５（６６，６７）を容易に識別させることができる。従って、組立作業の際に配線を通す配線接続用開口部６５（６６，６７）を間違えるようなミスを防止することができる。
【０１２６】
また、第１の実施の形態のパチンコ遊技機１００において、中継基板５２を用いずに、演出制御基板２１と遊技制御基板３１とを配線接続するものとした場合、すなわち、中継基板５２の位置に中継基板５２に代えて演出制御基板２１を配置した場合に、演出制御基板２１において、プログラムやプログラムで用いられるデータ等を記憶したＲＯＭ２０ａを、カバー部材６０の配線接続用開口部６５から視認できるようにしても良い。すなわち、カバー部材６０の配線接続用開口部６５の位置と、演出制御基板２１のＲＯＭ２０ａの位置とが前後に重なるようにする。
【０１２７】
このような構成とすれば、カバー部材６０を開放しなくとも、演出制御基板２１に実装されたＲＯＭ２０ａの上面に印刷されてＲＯＭ２０ａの種類を特定可能な文字列を容易に確認することができる。従って、ＲＯＭ２０ａに記載された文字列を視認することでＲＯＭ２０ａの交換という不正行為の有無を確認する際に、カバー部材６０を開放する必要がない。従って、容易に不正行為を発見することができる。従って、不正行為を早急に発見して、被害を最小限度にとどめることができるととも、不正が発見されやすいと言う特性から不正行為を行うこと自体を抑制することができる。なお、プログラム等を改変するためにＲＯＭ２０ａを交換した場合に、ＲＯＭ２０ａのメーカ、ロット等の違いにより、ＲＯＭ２０ａに記載される文字列が異なるものとなる。
【０１２８】
また、カバー部材６０には、配線接続用開口部６５（６６，６７）の部分に配線係止部６０７が設けられている。配線係止部６０７は、図１５に示すように、配線接続用開口部６５（６６，６７）内に円弧上に延出した形状を有する。配線係止部６０７により、配線接続用開口部６５を通る複数の配線がばらばらになるのを防止し、遊技盤１裏面が煩雑な状態となるのを防止できる。
また、上述のように配線接続用開口部６５からＲＯＭ２０ａを視認できるようにした場合に、配線係止部６０７によりＲＯＭ２０ａ側に配線が配置されたり、移動したりするのを防止し、ＲＯＭ２０ａの視認性を高めることができる。
【０１２９】
【発明の効果】
請求項１〜３に記載の本発明によれば、限られた遊技機の面積内に複数の制御基板等の装置を配置するために、カバー部材を用いて前後に重ねて各装置を配置するようにした場合に、カバー部材を介して各装置間で配線を行う必要があるが、このような場合に容易に配線等の組立作業を行うことができる。
それに加えて、請求項４〜６に記載の本発明によれば、配線に不正に電子部品を取り付けるような不正行為を防止することができる。
【図面の簡単な説明】
【図１】本発明に係る遊技機の第１の実施の形態のパチンコ遊技機の遊技盤部分を示す正面図である。
【図２】上記パチンコ遊技機の遊技制御装置等を示すブロック図である。
【図３】上記パチンコ遊技機の遊技盤部分を示す背面図である。
【図４】上記パチンコ遊技機の遊技盤部分のカバー部材を取り除いた状態を示す背面図である。
【図５】上記パチンコ遊技機を示す要部断面図である。
【図６】上記パチンコ遊技機の遊技盤部分の遊技制御基板を取り除いた状態を示す背面図である。
【図７】上記パチンコ遊技機の遊技盤部分に異なる種類の遊技制御基板を取り付けた状態をそれぞれ示す背面図である。
【図８】本発明に係る遊技機の第２の実施の形態のパチンコ遊技機の遊技盤部分のカバー部材を取り除いた状態を示す背面図である。
【図９】上記パチンコ遊技機の遊技盤部分を示す背面図である。
【図１０】本発明に係る遊技機の第３の実施の形態のパチンコ遊技機を示す要部断面図である。
【図１１】本発明に係る遊技機の第４の実施の形態のパチンコ遊技機を示す要部断面図である。
【図１２】上記パチンコ遊技機の遊技盤部分の背面図である。
【図１３】上記パチンコ遊技機の遊技盤部分の要部底面図である。
【図１４】本発明に係る遊技機の第５の実施の形態のパチンコ遊技機を示す要部断面図である。
【図１５】本発明に係る遊技機の変形例となるパチンコ遊技機の要部背面図である。
【符号の説明】
１        遊技盤
９ｃ      特図始動センサ（始動センサ）
１２      サイドランプ（電飾部品）
２１      演出制御基板
３１      遊技制御基板
３２      遊技制御基板コネクタ部
３４      遊技制御基板
３５      遊技制御基板
３６      遊技制御基板
３７      遊技制御基板（表示制御基板）
３７１    遊技制御基板コネクタ部（表示制御基板コネクタ部）
４        変動表示装置
４１      前面構成部材
４１ａ    取付基板
４２      液晶表示装置（表示器）
４２ａ    表示画面（表示面）
４３      表示用開口部
４３ａ    表示窓部
４４      凹室
５２      中継基板（演出制御基板の一部）
５５      コネクタ部（演出制御基板コネクタ部）
６０      カバー部材
６０１    配線接続用開口部
６０２    始動センサ配線用開口部
６５      配線接続用開口部
６６      配線接続用開口部
６７      配線接続用開口部
６８      取付部
６９      配線接続用開口部
８０      導光体
９０      光電変換素子（第１の光電変換手段）
９１      光電変換素子（第２の光電変換手段）
【図１】
2004242911.tif 000003
【図２】
2004242911.tif 000004
【図３】
2004242911.tif 000005
【図４】
2004242911.tif 000006
【図５】
2004242911.tif 000007
【図６】
2004242911.tif 000008
【図７】
2004242911.tif 000009
【図８】
2004242911.tif 000010
【図９】
2004242911.tif 000011
【図１０】
2004242911.tif 000012
【図１１】
2004242911.tif 000013
【図１２】
2004242911.tif 000014
【図１３】
2004242911.tif 000015
【図１４】
2004242911.tif 000016
【図１５】
2004242911.tif 000017